(57)【特許請求の範囲】
【請求項１】
画像データを取得する取得手段と、取得した画像データを回転する第１回転手段と、該第１回転手段にて回転された回転画像データを再回転する第２回転手段と、同一のサイズで装填方向が異なる第１及び第２の用紙が装填されており、何れかの用紙に画像データを記録する記録手段と、前記第１の用紙に回転画像データを記録している際に、前記第１の用紙が給紙不能となった場合、その回転画像データを前記第２回転手段にて再回転させて前記第２の用紙に記録するように制御する制御手段とを備えており、前記第１回転手段と前記第２回転手段とを独立的に動作させるようにしたことを特徴とする画像形成装置。
【請求項２】
前記第１回転手段にて回転された回転画像データを符号化する符号化部と、該符号化部にて符号化された符号化回転画像データを格納する画像メモリと、該画像メモリに格納されている符号化回転画像データを復号して、その復号回転画像データを前記記録手段または前記第２回転手段へ出力する復号部とを備える請求項１記載の画像形成装置。
【請求項３】
前記第１回転手段と前記第２回転手段とを共用するように構成した請求項１または２記載の画像形成装置。
【発明の詳細な説明】
【０００１】
【発明の属する技術分野】
本発明は、取得した画像データを回転させて用紙に記録する画像形成装置に関する。
【０００２】
【従来の技術】
取得した画像データをそのままの方向で用紙に記録するだけでなく、その取得した画像データの方向を９０度回転させて用紙に記録することができるファクシミリ装置，デジタル複写装置などの画像形成装置が開発されている。画像形成装置の記録部では、その記録用の用紙は縦方向，横方向の何れの方向にも装填可能であるが、横方向に装填した場合には、縦方向に装填した場合に比して、用紙搬送距離が短くなるために単位時間あたりのプリント枚数が多くなる。従って、原稿を縦方向に読み取って画像データを取得した場合でも、取得した画像データを回転させて、横方向に装填された用紙にその回転画像データを記録することにより、処理速度を高めることができる。
【０００３】
ところで、画像形成装置にあっては、画像データの取得処理と画像データの記録処理との動作速度の差を補償するために、取得した画像データを一旦画像メモリに蓄積することが一般的である。取得した画像データに対する回転処理には、その取得時での回転処理（取得した画像データを回転して、その回転画像データを画像メモリに格納する）と、記録時での回転処理（取得した画像データはそのまま画像メモリに格納しておき、画像メモリから読み出した画像データを回転する）とが存在するが、多数枚の記録時には、前者の取得時での回転処理の方が、後者の記録時での回転処理と比べて回転処理の回数が少なくて済むので、装置の負担を軽くできる。
【０００４】
【発明が解決しようとする課題】
このように、取得した画像データを回転させて画像メモリに格納し、格納した回転画像データを読み出し、読み出した回転画像データを横方向に装填された用紙に記録している際に、その横方向の用紙が給紙不能となった場合、つまり、横方向の用紙が無くなってしまった場合、または横方向の用紙のピックアップ部で紙詰まり（ジャム）を生じた場合、記録処理が停止して、横方向の用紙が新たに装填されるまでまたはジャムが解消されるまで記録処理を再開できないという問題がある。
【０００５】
本発明は斯かる事情に鑑みてなされたものであり、横方向の用紙が給紙不能となった場合にあっても、記録処理が中断されることがなく、利用効率を高めることができる画像形成装置を提供することを目的とする。
【０００６】
【課題を解決するための手段】
請求項１に係る画像形成装置は、画像データを取得する取得手段と、取得した画像データを回転する第１回転手段と、該第１回転手段にて回転された回転画像データを再回転する第２回転手段と、同一のサイズで装填方向が異なる第１及び第２の用紙が装填されており、何れかの用紙に画像データを記録する記録手段と、前記第１の用紙に回転画像データを記録している際に、前記第１の用紙が給紙不能となった場合、その回転画像データを前記第２回転手段にて再回転させて前記第２の用紙に記録するように制御する制御手段とを備えており、前記第１回転手段と前記第２回転手段とを独立的に動作させるようにしたことを特徴とする。
【０００７】
請求項１の画像形成装置にあっては、取得した一方向（縦方向）の画像データを第１回転手段にて回転させた回転画像データを他方向（横行向）の第１の用紙に記録している際に、その第１の用紙が無くなったまたはジャムにより給紙不能となった場合には、その回転画像データを第２回転手段にて再回転させて、その再回転画像データを一方向（縦方向）の第２の用紙に記録する。よって、第１の用紙が給紙不能となっても、続けて第２の用紙に記録することができ、記録動作が停止することはなく、利用効率は向上する。
【０００８】
請求項２に係る画像形成装置は、請求項１において、前記第１回転手段にて回転された回転画像データを符号化する符号化部と、該符号化部にて符号化された符号化回転画像データを格納する画像メモリと、該画像メモリに格納されている符号化回転画像データを復号して、その復号回転画像データを前記記録手段または前記第２回転手段へ出力する復号部とを備えることを特徴とする。
【０００９】
請求項２の画像形成装置にあっては、第１回転手段にて回転された回転画像データを符号化して画像メモリに格納しておき、その符号化回転画像データを復号して記録手段または第２回転手段へ出力する。よって、回転画像データを効率良く格納する。
【００１０】
請求項３に係る画像形成装置は、請求項１または２において、前記第１回転手段と前記第２回転手段とを共用するように構成したことを特徴とする。
【００１１】
請求項３の画像形成装置にあっては、第１回転手段と第２回転手段とを共用しており、装置の小型化及び低コスト化を図れる。
【００１２】
【発明の実施の形態】
以下、本発明をその実施の形態を示す図面を参照して具体的に詳述する。
（第１実施の形態）
図１は、本発明の画像形成装置としてのファクシミリ装置の一例の構成を示すブロック図であり、本発明のファクシミリ装置は、主制御部１，スキャナ２，スキャナ画像処理回路３，イメージメモリ４ａ，４ｂ，第１画像回転回路５ａ，第２画像回転回路５ｂ，符号化部６ａ，復号部６ｂ，プリンタ制御部７，プリンタ８，第１給紙カセット９ａ，第２給紙カセット９ｂ，操作パネル１０，表示部１１，画像メモリ１２，ＲＯＭ１３，ＲＡＭ１４，モデム１５，ＮＣＵ（Network Control Unit）１６等を備えている。
【００１３】
主制御部１は、具体的にはＣＰＵで構成されており、バス１７を介してファクシミリ装置の上述したようなハードウェア各部と接続されていて、それらを制御すると共に、ＲＯＭ１３に格納されたコンピュータプログラムに従って、種々のソフトウェア的機能を実行する。また、主制御部１は本発明の特徴部分である第１，第２画像回転回路５ａ，５ｂの動作処理を制御する。
【００１４】
スキャナ２及びスキャナ画像処理回路３にて取得手段としての読取部を構成しており、例えばＣＣＤ（Charge Coupled Device)を利用したスキャナ２で原稿を読み取り、読み取られた原稿の画像データはスキャナ画像処理回路３で各種補正（シェーディング補正，地色補正，エッジ補正，ガンマ補正）と２値化処理とが施され、シリアルデータとして、第１回転手段としての第１画像回転回路５ａへ出力される。第１画像回転回路５ａは、入力された画像データに回転処理を施し、その回転画像データを符号化部６ａへ出力する。
【００１５】
イメージメモリ４ａ，イメージメモリ４ｂは夫々、第１画像回転回路５ａ，第２回転手段としての第２画像回転回路５ｂでの回転処理を含む各種の処理を行う際に画像データを一旦蓄積する。符号化部６ａは、第１画像回転回路５ａからの回転画像データを符号化して、その符号化回転画像データを画像メモリ１２へ出力する。復号部６ｂは、画像メモリ１２から読み出された符号化回転画像データを復号し、復号した回転画像データを第２画像回転回路５ｂへ出力する。第２画像回転回路５ｂは、入力された回転画像データ、または、それを必要に応じて再回転させた再回転画像データをプリンタ制御部７へ出力する。
【００１６】
プリンタ制御部７とプリンタ８と第１，第２給紙カセット９ａ，９ｂとにて記録手段を構成しており、例えば電子写真方式のプリンタ８は、読取部で読み取られた原稿の画像データ、その回転画像データ、または、その再回転画像データをハードコピーとしてプリントアウトする。第１給紙カセット９ａには、第１の用紙としてのＡ４サイズ横方向（用紙の搬送方向が用紙の短辺と一致する方向）の用紙が装填されており、第２給紙カセット９ｂには、第２の用紙としてのＡ４サイズ縦方向（用紙の搬送方向が用紙の長辺と一致する方向）の用紙が装填されている。そして、読取部にて原稿は縦方向に読み取られ、その取得した画像データを回転させた回転画像データ（横方向の画像データ）は第１の用紙（横方向の用紙）に記録され、取得した画像データと回転画像データを再回転させた再回転画像データ（何れも縦方向の画像データ）とは第２の用紙（縦方向の用紙）に記録されるようになっている。
【００１７】
操作パネル１０は、本発明のファクシミリ装置を操作するために必要な文字キー，テンキー，短縮ダイヤルキー，ワンタッチダイヤルキー，各種のファンクションキー等を備えている。このファンクションキーの中には、原稿の読取り・プリントの開始を指示するスタートキー、画像データに対する回転処理の有無を設定する回転設定キーなどが含まれる。表示部１１は、液晶表示装置またはＣＲＴディスプレイ等の表示装置であり、本発明のファクシミリ装置の動作状態を表示する。
【００１８】
画像メモリ１２は、ＤＲＡＭ等で構成され、読み取られた原稿の画像データ若しくはその回転画像データ、または、受信した画像データを格納する。ＲＯＭ１３は、本発明のファクシミリ装置の動作に必要な種々のソフトウェアのプログラムを予め格納している。ＲＡＭ１４は、ＳＲＡＭまたはフラッシュメモリ等で構成され、ソフトウェアの実行時に発生する一時的なデータを記憶する。
【００１９】
モデム１５は、バス１７に接続されており、ファクシミリ通信が可能なファクスモデムから構成されている。また、モデム１５は、同様にバス１７に接続されたＮＣＵ１６と直接的に接続されている。ＮＣＵ１６は、公衆電話回線網とのアナログ回線Ｌの閉結及び開放の動作を行うハードウェアであり、必要に応じてモデム１５を公衆電話回線網と接続する。
【００２０】
図２は、第１画像回転回路５ａの構成を示すブロック図である。第１画像回転回路５ａは、回転部５１ａと、入力シリアルインタフェース（Ｉ／Ｆ）５２ａと、出力パラレルインタフェース（Ｉ／Ｆ）５４ａと、バッファメモリ５６ａとを有する。図３は、第２画像回転回路５ｂの構成を示すブロック図である。第２画像回転回路５ｂは、回転部５１ｂと、入力パラレルインタフェース（Ｉ／Ｆ）５３ｂと、出力シリアルインタフェース（Ｉ／Ｆ）５５ｂと、バッファメモリ５６ｂとを有する。
【００２１】
回転部５１ａ，５１ｂは、主制御部１にて制御され、画像データを回転する。この際、回転処理対象の画像データは外部のイメージメモリ４ａ，４ｂに一旦蓄積され、徐々にバッファメモリ５６ａ，５６ｂに読み出されて回転処理が施される。入力シリアルインタフェース５２ａは、読み取られた原稿の画像データをスキャナ画像処理回路３からシリアル形式で入力する。出力パラレルインタフェース５４ａは、入力された画像データまたはそれを回転させた回転画像データを符号化のために符号化部６ａへパラレル形式で出力する。入力パラレルインタフェース５３ｂは、画像メモリ１２に蓄積された符号化画像データまたは符号化回転画像データが復号された画像データまたは回転画像データを復号部６ｂからパラレル形式で入力する。出力シリアルインタフェース５５ｂは、プリントアウトすべき画像データ（読み取られた原稿の画像データ，その回転画像データまたはその再回転画像データ）をプリンタ制御部７へシリアル形式で出力する。
【００２２】
次に、上述した構成の第１実施の形態のファクシミリ装置において、読み取った画像データを回転させて記録する場合の動作について説明する。図４は、その読取り時の動作手順を示すフローチャート、図５，図６は、その記録時の動作手順を示すフローチャートである。
【００２３】
読取り対象の原稿がセットされて（ステップＳ１）、主制御部１が、スタートキーのオンを検出した場合に（ステップＳ２：ＹＥＳ）、主制御部１は、第１画像回転回路５ａ内の回転部５１ａ，入力シリアルインタフェース５２ａ，出力パラレルインタフェース５４ａ及びバッファメモリ５６ａを起動させ（ステップＳ３）、符号化部６ａを起動させる（ステップＳ４）。
【００２４】
そして、読取部のスキャナ２にて原稿の読取りが開始され（ステップＳ５）、取得された画像データがスキャナ画像処理回路３から第１画像回転回路５ａへ入力される。第１画像回転回路５ａでは、入力された画像データに回転部５１ａが回転処理を施し、その回転画像データを符号化部６ａへ出力する。符号化部６ａは、入力された回転画像データを符号化し、その符号化回転画像データを画像メモリ１２へ出力し、画像メモリ１２がそれを格納する（ステップＳ６）。
【００２５】
主制御部１は、原稿の読取りが終了したか否かを判断する（ステップＳ７）。終了している場合に（Ｓ７：ＹＥＳ）、主制御部１は、第１画像回転回路５ａをリセットさせ（ステップＳ８）、符号化部６ａをリセットさせて（ステップＳ９）、読取り処理を終了する。一方、終了していない場合には（Ｓ７：ＮＯ）、Ｓ６の処理を続行する。
【００２６】
主制御部１は、画像メモリ１２に所定量の符号化回転画像データが格納されているか否かを判断する（ステップＳ１１）。所定量の画像データが既に画像メモリ１２に格納された場合（Ｓ１１：ＹＥＳ）、主制御部１は、プリンタ８を起動させ（ステップＳ１２）、第２画像回転回路５ｂ内の入力パラレルインタフェース５３ｂ，出力シリアルインタフェース５５ｂ及びバッファメモリ５６ｂを起動させ（ステップＳ１３）、復号部６ｂを起動させる（ステップＳ１４）。
【００２７】
主制御部１が、記録手段でのプリント準備が完了したことを判断した場合に（ステップＳ１５：ＹＥＳ）、第１給紙カセット９ａが選択されて、それに装填されている第１の用紙（Ａ４横）への記録処理が開始される（ステップＳ１６）。この際、画像メモリ１２に格納されている符号化回転画像データが復号部６ｂに読み出されて復号され、その復号された回転画像データが第２画像回転回路５ｂへ入力され、その回転画像データは更にプリンタ制御部７を介してプリンタ８へ出力されて、その回転画像データが第１の用紙（Ａ４横）にプリントアウトされる。
【００２８】
主制御部１は、このような記録処理中に、第１給紙カセット９ａ内の第１の用紙（Ａ４横）が給紙不能となったか否か、つまり第１の用紙（Ａ４横）が無くなったか否かまたは第１の用紙（Ａ４横）のピックアップ部でジャムが生じたか否かを判断する（ステップＳ１７）。第１の用紙（Ａ４横）が給紙不能とならずに（Ｓ１７：ＮＯ）、全てのプリントを終了した場合（ステップＳ１８：ＹＥＳ）、主制御部１は、復号部６ｂをリセットさせ（ステップＳ２４）、第２画像回転回路５ｂをリセットさせ（ステップＳ２５）、プリンタ８を停止させて（ステップＳ２６）、記録処理を終了する。
【００２９】
記録処理中に第１の用紙（Ａ４横）が給紙不能となった場合、即ち第１の用紙（Ａ４横）が無くなったかまたは第１の用紙（Ａ４横）のピックアップ部でジャムが生じた場合に（Ｓ１７：ＹＥＳ）、主制御部１は、第２の用紙（Ａ４縦）が装填されている第２給紙カセット９ｂを選択し（ステップＳ１９）、第２画像回転回路５ｂ内の回転部５１ｂを起動させて（ステップＳ２０）、記録処理を再開させる（ステップＳ２１）。この際、画像メモリ１２に格納されている符号化回転画像データが復号部６ｂに読み出されて復号され、その復号された回転画像データが第２画像回転回路５ｂへ入力され、第２画像回転回路５ｂでは、入力された回転画像データに回転部５１ｂが回転処理を施し、その再回転画像データはプリンタ制御部７を介してプリンタ８へ出力されて、その再回転画像データが第２の用紙（Ａ４縦）にプリントアウトされる。
【００３０】
主制御部１は、このような記録処理中に、第２給紙カセット９ｂ内の第２の用紙（Ａ４縦）が給紙不能となったか否かを判断する（ステップＳ２２）。給紙不能となった場合には（Ｓ２２：ＹＥＳ）、「用紙無し」または「ジャム」が表示部１１に表示される（ステップＳ２７）。第２の用紙（Ａ４縦）が給紙不能とならずに（Ｓ２２：ＮＯ）、全てのプリントを終了した場合（ステップＳ２３：ＹＥＳ）、主制御部１は、復号部６ｂをリセットさせ（ステップＳ２４）、第２画像回転回路５ｂをリセットさせ（ステップＳ２５）、プリンタ８を停止させて（ステップＳ２６）、記録処理を終了する。
【００３１】
（第２実施の形態）
上述した第１実施の形態では、２個の画像回転回路を使用する場合について説明したが、１個の画像回転回路を使用しても同様に行える。図７は、このような場合のファクシミリ装置の構成を示すブロック図、図８はその１個の画像回転回路５の構成を示すブロック図である。
【００３２】
図７において、図１と同一部分には同一番号を付してそれらの説明を省略する。このファクシミリ装置は、第１回転手段及び第２回転手段を兼ねる１個の画像回転回路５と、それに対応する各１個のイメージメモリ４及びコーデック部６とを有している。イメージメモリ４は、上記イメージメモリ４ａ，４ｂと同様のものであり、画像回転回路５での回転処理を含む各種の処理を行う際に画像データを一旦蓄積する。また、コーデック（ＣＯＤＥＣ：Coder and Decoder)部６は、上記符号化部６ａの機能と復号部６ｂの機能とを併せ持っており、画像データまたは回転画像データの符号化処理及び符号化画像データまたは符号化回転画像データの復号処理を行う。
【００３３】
画像回転回路５は、図８に示すように、上記回転部５１ａ，５１ｂと同様の機能を有する回転部５１と、上記入力シリアルインタフェース５２ａと同様の機能を有する入力シリアルインタフェース（Ｉ／Ｆ）５２と、上記入力パラレルインタフェース５３ｂと同様の機能を有する入力パラレルインタフェース（Ｉ／Ｆ）５３と、上記出力パラレルインタフェース５４ａと同様の機能を有する出力パラレルインタフェース（Ｉ／Ｆ）５４と、上記出力シリアルインタフェース５５ｂと同様の機能を有する出力シリアルインタフェース（Ｉ／Ｆ）５５と、上記バッファメモリ５６ａ，５６ｂと同様の機能を有するバッファメモリ５６とを有する。
【００３４】
次に、上述した構成の第２実施の形態のファクシミリ装置において、読み取った画像データを回転させて記録する場合の動作について説明する。図９は、その読取り時の動作手順を示すフローチャート、図１０，図１１は、その記録時の動作手順を示すフローチャートである。
【００３５】
読取り対象の原稿がセットされて（ステップＳ３１）、主制御部１が、スタートキーのオンを検出した場合に（ステップＳ３２：ＹＥＳ）、主制御部１は、画像回転回路５内の回転部５１，入力シリアルインタフェース５２，出力パラレルインタフェース５４及びバッファメモリ５６を起動させ（ステップＳ３３）、コーデック部６（符号化機能）を起動させる（ステップＳ３４）。
【００３６】
そして、読取部のスキャナ２にて原稿の読取りが開始され（ステップＳ３５）、取得された画像データがスキャナ画像処理回路３から画像回転回路５へ入力される。画像回転回路５では、入力された画像データに回転部５１が回転処理を施し、その回転画像データをコーデック部６へ出力する。コーデック部６は、入力された回転画像データを符号化し、その符号化回転画像データを画像メモリ１２へ出力し、画像メモリ１２がそれを格納する（ステップＳ３６）。
【００３７】
主制御部１は、原稿の読取りが終了したか否かを判断する（ステップＳ３７）。終了している場合に（Ｓ３７：ＹＥＳ）、主制御部１は、画像回転回路５をリセットさせ（ステップＳ３８）、コーデック部６（符号化機能）をリセットさせて（ステップＳ３９）、読取り処理を終了する。一方、終了していない場合には（Ｓ３７：ＮＯ）、Ｓ３６の処理を続行する。
【００３８】
主制御部１は、プリントすべき符号化回転画像データが画像メモリ１２に格納されているか否かを判断する（ステップＳ４１）。格納されている場合（Ｓ４１：ＹＥＳ）、主制御部１は、プリンタ８を起動させ（ステップＳ４２）、画像回転回路５内の入力パラレルインタフェース５３，出力シリアルインタフェース５５及びバッファメモリ５６を起動させ（ステップＳ４３）、コーデック部６（復号機能）を起動させる（ステップＳ４４）。
【００３９】
主制御部１が、記録手段でのプリント準備が完了したことを判断した場合に（ステップＳ４５：ＹＥＳ）、第１給紙カセット９ａが選択されて、それに装填されている第１の用紙（Ａ４横）への記録処理が開始される（ステップＳ４６）。この際、画像メモリ１２に格納されている符号化回転画像データがコーデック部６に読み出されて復号され、その復号された回転画像データが画像回転回路５へ入力され、その回転画像データは更にプリンタ制御部７を介してプリンタ８へ出力されて、その回転画像データが第１の用紙（Ａ４横）にプリントアウトされる。
【００４０】
主制御部１は、このような記録処理中に、第１給紙カセット９ａ内の第１の用紙（Ａ４横）が給紙不能となったか否かを判断する（ステップＳ４７）。第１の用紙（Ａ４横）が給紙不能とならずに（Ｓ４７：ＮＯ）、全てのプリントを終了した場合（ステップＳ４８：ＹＥＳ）、主制御部１は、コーデック部６（復号機能）をリセットさせ（ステップＳ５４）、画像回転回路５をリセットさせ（ステップＳ５５）、プリンタ８を停止させて（ステップＳ５６）、記録処理を終了する。
【００４１】
記録処理中に第１の用紙（Ａ４横）が給紙不能となった場合に（Ｓ４７：ＹＥＳ）、主制御部１は、第２の用紙（Ａ４縦）が装填されている第２給紙カセット９ｂを選択し（ステップＳ４９）、画像回転回路５内の回転部５１を起動させて（ステップＳ５０）、記録処理を再開させる（ステップＳ５１）。この際、画像メモリ１２に格納されている符号化回転画像データがコーデック部６に読み出されて復号され、その復号された回転画像データが画像回転回路５へ入力され、画像回転回路５では、入力された回転画像データに回転部５１が回転処理を施し、その再回転画像データはプリンタ制御部７を介してプリンタ８へ出力されて、その再回転画像データが第２の用紙（Ａ４縦）にプリントアウトされる。
【００４２】
主制御部１は、このような記録処理中に、第２給紙カセット９ｂ内の第２の用紙（Ａ４縦）が給紙不能となったか否かを判断する（ステップＳ５２）。給紙不能となった場合には（Ｓ５２：ＹＥＳ）、「用紙無し」または「ジャム」が表示部１１に表示される（ステップＳ５７）。第２の用紙（Ａ４縦）が給紙不能とならずに（Ｓ５２：ＮＯ）、全てのプリントを終了した場合（ステップＳ５３：ＹＥＳ）、主制御部１は、コーデック部６（復号機能）をリセットさせ（ステップＳ５４）、画像回転回路５をリセットさせ（ステップＳ５５）、プリンタ８を停止させて（ステップＳ５６）、記録処理を終了する。
【００４３】
上述した第１，第２実施の形態では、第１の用紙（Ａ４横）が給紙不能となった場合でも、回転画像データを再回転させ、その再回転画像データを第２の用紙（Ａ４縦）に記録することができるので、従来のように第１の用紙（Ａ４横）が補給されるまたはジャムが解消されるまでの間に記録処理が中断されることはなく、無駄な時間をなくすことができる。
【００４４】
第１実施の形態では、読取処理と記録処理とを異なる第１画像回転回路５ａと第２画像回転回路５ｂとにて独立的に行うようにしたので、読取動作及び記録動作を並列処理することが可能である。なお、上記第１実施の形態では、各第１，第２画像回転回路５ａ，５ｂの内部構成を必要最小限の構成（図２，図３）としたが、夫々の構成を何れも上記画像回転回路５の構成（図８）としても良い。この場合には、１種類の構成にて第１，第２画像回転回路５ａ，５ｂを共通化できるので、作製コストの低減を図れる。
【００４５】
第２実施の形態では、１個の画像回転回路５にて回転処理及び再回転処理を行えるので、装置の小型化及び低コスト化を実現できる。
【００４６】
【発明の効果】
以上のように本発明の画像形成装置では、第１回転手段にて回転された回転画像データを横行向の第１の用紙に記録している際に、その第１の用紙が給紙不能となった場合には、その回転画像データを第２回転手段にて再回転させて、その再回転画像データを縦方向の第２の用紙に記録するようにしたので、第１の用紙が給紙不能となっても、続けて第２の用紙に記録することができ、記録動作が停止することはなく、利用効率を向上することができる。
【００４７】
また、本発明の画像形成装置では、第１回転手段にて回転された回転画像データを符号化して画像メモリに格納しておき、その符号化回転画像データを復号して記録手段または第２回転手段へ出力するようにしたので、回転画像データを効率良く格納でき、画像メモリの容量を少なくすることができる。
【００４８】
更に、本発明の画像形成装置では、第１回転手段と第２回転手段とを共用するようにしたので、装置の小型化と低コスト化とを実現することができる。
【図面の簡単な説明】
【図１】本発明のファクシミリ装置の一例（第１実施の形態）の構成を示すブロック図である。
【図２】第１画像回転回路の構成を示すブロック図である。
【図３】第２画像回転回路の構成を示すブロック図である。
【図４】第１実施の形態における読取り時の動作手順を示すフローチャートである。
【図５】第１実施の形態における記録時の動作手順を示すフローチャートである。
【図６】第１実施の形態における記録時の動作手順を示すフローチャートである。
【図７】本発明のファクシミリ装置の一例（第２実施の形態）の構成を示すブロック図である。
【図８】画像回転回路の構成を示すブロック図である。
【図９】第２実施の形態における読取り時の動作手順を示すフローチャートである。
【図１０】第２実施の形態における記録時の動作手順を示すフローチャートである。
【図１１】第２実施の形態における記録時の動作手順を示すフローチャートである。
【符号の説明】
１  主制御部
２  スキャナ
３  スキャナ画像処理回路
５ａ  第１画像回転回路
５ｂ  第２画像回転回路
５  画像回転回路
６ａ  符号化部
６ｂ  復号部
６  コーデック部
７  プリンタ制御部
８  プリンタ
９ａ  第１給紙カセット
９ｂ  第２給紙カセット
１２  画像メモリ
５１ａ，５１ｂ，５１  回転部
【図１】
0003760789.tif 000002
【図２】
0003760789.tif 000003
【図３】
0003760789.tif 000004
【図４】
0003760789.tif 000005
【図５】
0003760789.tif 000006
【図６】
0003760789.tif 000007
【図７】
0003760789.tif 000008
【図８】
0003760789.tif 000009
【図９】
0003760789.tif 000010
【図１０】
0003760789.tif 000011
【図１１】
0003760789.tif 000012